(57)【要約】【課題】本発明は、ユーザの活動状況に応じた効率的な印刷先を提示する。【解決手段】情報処理システム１は、サーバＳＶが、ユーザの活動予定を含む活動情報と、複数の印刷装置Ｐｒ１〜Ｐｒｎの設置場所、装置状態、装置性能を含む装置情報と、を記憶する。サーバは、クライアント端末ＣＬからの印刷設定を伴う印刷要求を受け付けると、印刷設定、活動情報及び装置情報を参照して、複数の印刷装置Ｐｒ１〜Ｐｒｎから、該印刷要求に係る印刷データの印刷を実行させる印刷装置Ｐｒ１〜Ｐｒｎを印刷候補印刷装置として、１台以上選択し、印刷要求してきたクライアント端末ＣＬに提示する。【選択図】          図１
2017091446.tif 000002
【特許請求の範囲】
【請求項１】
ユーザの活動予定を含む活動情報を記憶する活動情報記憶手段と、
複数の印刷装置の設置場所、装置状態、装置性能を含む装置情報を記憶する装置情報記憶手段と、
外部装置からの印刷設定を伴う印刷要求を受け付ける印刷要求受付手段と、
前記印刷要求を受け付けると、前記印刷設定、前記活動情報及び前記装置情報を参照して、複数の前記印刷装置から、該印刷要求に係る印刷データの印刷を実行させる印刷装置を印刷候補印刷装置として、１台以上選択する印刷候補選択手段と、
前記印刷候補印刷装置を提示する提示手段と、
を備えていることを特徴とする情報処理装置。
【請求項２】
前記情報処理装置は、
印刷データを保管するデータ保管手段と、
前記外部装置からの印刷データ一覧要求を受け付けて、前記データ保管手段に保管されている前記印刷データの一覧を提供する一覧提供手段と、
をさらに備え、
前記印刷要求受付手段は、
前記印刷データ一覧に基づく印刷要求を受け付けることを特徴とする情報処理装置。
【請求項３】
前記情報処理装置は、
前記印刷要求を発行した前記外部装置の位置を印刷要求発行位置として検出する印刷要求位置検出手段と、
前記ユーザの位置情報を所定間隔毎に取得するユーザ位置取得手段と、
前記ユーザの位置情報を前記活動情報記憶手段に前記活動情報の一部として記憶させる活動情報登録手段と、
をさらに備え、
前記印刷候補選択手段は、
前記印刷要求発行位置、前記ユーザの位置情報を含む前記活動情報及び前記印刷設定、前記装置情報を参照して、前記印刷候補印刷装置を選択することを特徴とする請求項１または請求項２記載の情報処理装置。
【請求項４】
前記情報処理装置は、
前記印刷候補印刷装置を提示優先順位の条件を指定する指定手段を、
をさらに備え、
前記提示手段は、
前記指定手段で指定された提示優先順位の条件に従った提示順序で前記印刷候補印刷装置を提示することを特徴とする請求項１から請求項３のいずれかに記載の情報処理装置。
【請求項５】
前記情報処理装置は、
ユーザの印刷に関する各種情報をユーザ特性情報として取得して保存する特性取得手段を、
さらに備え、
前記提示手段は、
前記ユーザ特性情報に基づいた提示順序で前記印刷候補印刷装置を提示することを特徴とする請求項１から請求項４のいずれかに記載の情報処理装置。
【請求項６】
前記情報処理装置は、
印刷データの機密度、前記印刷装置に対するユーザの利用権限を含む該印刷装置に対する印刷可否情報を記憶する印刷可否情報記憶手段と、
前記印刷要求に基づいて前記印刷可否情報を参照して、該印刷要求に対する印刷不可の印刷装置を判断する印刷不可判断手段と、
をさらに備え、
前記印刷候補選択手段は、
複数の前記印刷装置のうち、前記印刷不可判断手段が印刷不可と判断した印刷装置を省いた印刷装置から前記印刷候補印刷装置を選択することを特徴とする請求項１から請求項５のいずれかに記載の情報処理装置。
【請求項７】
複数の印刷装置から印刷を行わせる印刷装置を選択して提示する情報処理システムであって、
ユーザの活動予定を含む活動情報を記憶する活動情報記憶手段と、
複数の印刷装置の設置場所、装置状態、装置性能を含む装置情報を記憶する装置情報記憶手段と、
外部装置からの印刷設定を伴う印刷要求を受け付ける印刷要求受付手段と、
前記印刷要求を受け付けると、前記印刷設定、前記活動情報及び前記装置情報を参照して、複数の前記印刷装置から、該印刷要求に係る印刷データの印刷を実行させる印刷装置を印刷候補印刷装置として、１台以上選択する印刷候補選択手段と、
前記印刷候補の前記印刷装置を提示する提示手段と、
を備えていることを特徴とする情報処理システム。
【請求項８】
情報処理装置が、
ユーザの活動予定を含む活動情報を活動情報記憶手段へ記憶する活動情報記憶処理ステップと、
複数の印刷装置の設置場所、装置状態、装置性能を含む装置情報を装置情報記憶手段へ記憶する装置情報記憶処理ステップと、
外部装置からの印刷設定を伴う印刷要求を受け付ける印刷要求受付処理ステップと、
前記印刷要求を受け付けると、前記印刷設定、前記活動情報及び前記装置情報を参照して、複数の前記印刷装置から、該印刷要求に係る印刷データの印刷を実行させる印刷装置を印刷候補印刷装置として、１台以上選択する印刷候補選択処理ステップと、
前記印刷候補の前記印刷装置を提示する提示処理ステップと、
を実行することを特徴とする情報処理方法。
【請求項９】
コンピュータに、
ユーザの活動予定を含む活動情報を活動情報記憶手段へ記憶する活動情報記憶処理と、
複数の印刷装置の設置場所、装置状態、装置性能を含む装置情報を装置情報記憶手段へ記憶する装置情報記憶処理と、
外部装置からの印刷設定を伴う印刷要求を受け付ける印刷要求受付処理と、
前記印刷要求を受け付けると、前記印刷設定、前記活動情報及び前記装置情報を参照して、複数の前記印刷装置から、該印刷要求に係る印刷データの印刷を実行させる印刷装置を印刷候補印刷装置として、１台以上選択する印刷候補選択処理と、
前記印刷候補の前記印刷装置を提示する提示処理と、
を実行させることを特徴とするプログラム。
【発明の詳細な説明】
【技術分野】
【０００１】
本発明は、情報処理装置、情報処理システム、情報処理方法及びプログラムに関し、詳細には、印刷先を提示する情報処理装置、情報処理システム、情報処理方法及びプログラムに関する。
【背景技術】
【０００２】
近年、ネットワークシステムにおいては、プリンタ装置、ファクシミリ装置、複合装置等の複数の印刷装置がネットワークに接続されている。このようなネットワークシステムにおいては、ネットワークに接続されているコンピュータ、携帯端末等から画像データとともに、あるいは、ネットワーク上の画像データを指定した印刷要求を行って、適宜の印刷装置を印刷先として、印刷させることができる。
【０００３】
このような複数の印刷装置が接続されているネットワークシステムにおいては、適切な印刷先の印刷装置を選択するのが難しくなってきている。
【０００４】
そして、従来、携帯端末と、印刷可能な複数の文書の文書データを保存するサーバと、複数の印刷装置とがネットワークを介して通信可能であり、前記携帯端末によって前記サーバに保存された文書を選択して、その文書データを前記複数の印刷装置のいずれかに印刷させる文書印刷システムであって、前記サーバに、前記印刷可能な複数の文書の文書データを保存する保存手段と、前記保存手段に保存した文書の文書リストを前記携帯端末へ送信する第１の送信手段と、前記携帯端末によって前記文書リスト中のいずれかの文書が選択されて通知されたときに、前記複数の印刷装置に機器情報を要求して、該各印刷装置からその機器情報を取得する機器情報取得手段と、前記選択された文書の文書データと、前記機器情報取得手段によって取得した各印刷装置の機器情報とに基づいて、前記選択された文書の文書データの印刷に適した印刷装置のリストを作成して前記携帯端末へ送信する第２の送信手段と、前記携帯端末によって指定された印刷装置に、前記選択された文書の文書データの印刷を要求する印刷要求手段とを設け、前記携帯端末に、前記サーバから前記文書リスト及び前記印刷に適した印刷装置のリストを受け取ったときに表示を行う表示手段と、前記表示手段が、前記文書リストを表示した場合、該文書リスト中の選択された文書を前記サーバへ通知し、前記印刷に適した印刷装置のリストを表示した場合、その中の選択された印刷装置を指定して前記サーバへ通知する指示手段とを設け、前記複数の各印刷装置に、前記サーバから前記機器情報を要求された場合に、自機の前記機器情報を前記サーバへ送る機器情報送出手段と、前記サーバから前記印刷要求を受けた場合に、前記選択された文書の文書データを記録紙に印刷する印刷手段とを設けた文書印刷システムが提案されている（特許文献１参照）。
【０００５】
すなわち、この従来技術は、ユーザが印刷したい文書データに対して最も適した機能を備えた印刷装置を容易に選択して、所望の文書を確実に印刷することを意図している。
【発明の概要】
【発明が解決しようとする課題】
【０００６】
しかしながら、上記公報記載の従来技術にあっては、ユーザが印刷要求した場所にとって適切な印刷装置を選択して提示しているのみであるため、印刷文書の利用先等のユーザの活動情報を考慮した印刷先の提示等の利用性の向上を図る上で、改良の必要があった。
【０００７】
そこで、本発明は、ユーザの活動状況に応じた効率的な印刷先を提示することを目的としている。
【課題を解決するための手段】
【０００８】
上記目的を達成するために、請求項１記載の情報処理装置は、ユーザの活動予定を含む活動情報を記憶する活動情報記憶手段と、複数の印刷装置の設置場所、装置状態、装置性能を含む装置情報を記憶する装置情報記憶手段と、外部装置からの印刷設定を伴う印刷要求を受け付ける印刷要求受付手段と、前記印刷要求を受け付けると、前記印刷設定、前記活動情報及び前記装置情報を参照して、複数の前記印刷装置から、該印刷要求に係る印刷データの印刷を実行させる印刷装置を印刷候補印刷装置として、１台以上選択する印刷候補選択手段と、前記印刷候補印刷装置を提示する提示手段と、を備えていることを特徴としている。
【発明の効果】
【０００９】
本発明によれば、ユーザの活動状況に応じた効率的な印刷先を提示することができる。
【図面の簡単な説明】
【００１０】
【図１】本発明の第１実施例を適用した情報処理システムの概略構成図。
【図２】サーバの概略構成図。
【図３】サーバの機能ブロック図。
【図４】情報処理のシーケンス図。
【図５】第２実施例のサーバの機能ブロック図。
【図６】第２実施例における情報処理のシーケンス図。
【図７】第３実施例のサーバの機能ブロック図。
【図８】第３実施例における情報処理のシーケンス図。
【図９】第４実施例のサーバの機能ブロック図。
【図１０】第４実施例における情報処理のシーケンス図。
【図１１】第５実施例のサーバの機能ブロック図。
【図１２】第５実施例における情報処理のシーケンス図。
【発明を実施するための形態】
【００１１】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１２】
図１〜図４は、本発明の情報処理装置、情報処理システム、情報処理方法及びプログラムの第１実施例を示す図であり、図１は、本発明の情報処理装置、情報処理システム、情報処理方法及びプログラムの第１実施例を適用した情報処理システム１の概略構成図である。
【００１３】
図１において、情報処理システム１は、ネットワークＮＷに、複数の印刷装置Ｐｒ１〜Ｐｒｎ、クライアント端末ＣＬ、アクセスポイント装置ＡＰ及びサーバＳＶ等が接続されている。ネットワークＮＷは、ＬＡＮ（Local Area Network）、ＷＡＮ（Wide Area Network ）、インターネット等が用いられている。
【００１４】
クライアント端末ＣＬは、図１では、コンピュータＰＣと携帯端末ＫＴが含まれているが、こられに限るものではなく、サーバＳＶに対して印刷装置Ｐｒ１〜Ｐｒｎでの印刷要求を行うことのできる端末であれば、用いることができる。
【００１５】
コンピュータＰＣは、通常のハードウェア構成及びソフトウェア構成のコンピュータが用いられている。すなわち、コンピュータＰＣは、本体、キー等の入力デバイス、ディスプレイ等の出力デバイス等を備え、データの入力処理、データの出力処理等を行う。ただし、コンピュータＰＣは、後述するように、本発明の情報処理方法によってサーバＳＶから通知される好適な印刷先の印刷装置Ｐｒ１〜Ｐｒｎの一覧を受け取って、該印刷装置一覧から印刷先を選択してサーバＳＶに通知する機能を有している。
【００１６】
すなわち、コンピュータＰＣは、その搭載する文書作成ソフトウェアで作成、編集等された印刷データまたはサーバＳＶに蓄積されている印刷データを指定し、印刷設定操作が行われて、印刷要求操作がユーザによって行われる。コンピュータＰＣは、印刷データまたは印刷データ指定情報と印刷設定情報とともに印刷要求をネットワークＮＷを介してサーバＳＶに送信する。
【００１７】
携帯端末ＫＴは、スマートフォン、タブレット等の携帯端末が用いられ、通常のハードウェア構成及びソフトウェア構成の携帯端末が用いられている。すなわち、携帯端末ＫＴは、本体、キー、タッチパネル等の入力デバイス、ディスプレイ等の出力デバイス等を備え、データの入力処理、データの出力処理等を行う。携帯端末ＫＴは、アクセスポイント装置ＡＰと無線通信して、アクセスポイント装置ＡＰ及びネットワークＮＷを介してサーバＳＶと通信する。ただし、携帯端末ＫＴは、後述するように、本発明の情報処理方法によってサーバＳＶから通知される好適な印刷先の印刷装置一覧を受け取って該印刷装置一覧から印刷先を選択してサーバＳＶに通知する機能を有している。
【００１８】
すなわち、携帯端末ＫＴは、その搭載する文書作成ソフトウェアで作成、編集等された印刷データまたはサーバＳＶに蓄積されている印刷データを指定し、印刷設定操作が行われて、印刷要求操作がユーザによって行われる。携帯端末ＫＴは、印刷データまたは印刷データ指定情報と印刷設定情報とともに印刷要求をアクセスポイント装置ＡＰ及びネットワークＮＷを介してサーバＳＶに送信する。また、携帯端末ＫＴは、ＧＰＳ（Global Positioning System）等の自身の現在位置を検出する位置検出部を搭載している。携帯端末ＫＴは、印刷要求に際して、ＧＰＳ等の位置検出部の取得した携帯端末ＫＴの現在位置情報（印刷要求位置情報）を印刷要求とともにサーバＳＶへ送信する。
【００１９】
アクセスポイント装置ＡＰは、ネットワークＮＷに接続されており、携帯端末ＫＴとの間で無線によって通信を行う。アクセスポイント装置ＡＰは、携帯端末ＫＴとの間で無線で通信し、また、ネットワークＮＷを介してネットワークＮＷに接続されている装置、例えば、サーバＳＶと通信する。
【００２０】
印刷装置Ｐｒ１〜Ｐｒｎは、各種印刷方式のプリンタ装置、ファクシミリ装置、複合装置等の印刷装置が用いられている。印刷装置Ｐｒ１〜Ｐｒｎは、例えば、タンデム型の電子写真方式の場合、搬送ベルトに沿って、例えば、白色（Ｗ）、ブラック（Ｋ）、マゼンタ（Ｍ）、シアン（Ｃ）及びイエロー（Ｙ）の各色の画像形成ユニットが配設されている。各画像形成ユニットは、例えば、感光体の周囲に、光書込部、現像部、帯電部及びクリーニング部等を備えている。そして、印刷装置Ｐｒ１〜Ｐｒｎは、各色の画像形成ユニットにおいて、サーバＳＶから受け取った各色の描画データ（画像データ）により光書込部を動作させて、その感光体上に静電潜像を形成する。印刷装置Ｐｒ１〜Ｐｒｎは、各色の画像形成ユニットにおいて、現像部から各色のトナーを感光体上に供給して静電潜像を現像することで各色のトナー画像を形成する。印刷装置Ｐｒ１〜Ｐｒｎは、給紙部から用紙を感光体と転写部との間に給紙して、感光体上のトナー画像を順次用紙に重ね合わせて転写させる。印刷装置Ｐｒ１〜Ｐｒｎは、トナー画像の転写された用紙を定着部に搬送して、定着部で加熱・加圧して用紙上のトナー画像を定着させることで、カラー画像を形成し、印刷物を排紙トレイ上に排出する。なお、印刷装置Ｐｒ１〜Ｐｒｎは、上記方式の印刷装置に限るものではない。
【００２１】
印刷装置Ｐｒ１〜Ｐｒｎは、ネットワークＮＷ上の異なる設置位置に設置され、また、印刷方式、印刷機能等の装置性能が同じであったり、異なったりする。
【００２２】
そして、サーバＳＶは、ネットワークＮＷに接続され、クライアント端末ＣＬからの印刷要求を受け付けて、適切な印刷先の印刷装置Ｐｒ１〜Ｐｒｎを選択し、印刷データ、印刷設定情報及び印刷要求を印刷先の印刷装置Ｐｒ１〜Ｐｒｎに送信して印刷させる。
【００２３】
すなわち、サーバＳＶは、図２に示すように概略構成されている。サーバＳＶは、ＣＰＵ（Central Processing Unit）１１、ＲＯＭ（Read Only Memory）１２、ＲＡＭ（Random Access Memory）１３、不揮発性メモリ１４、入力Ｉ／Ｆ１５、出力Ｉ／Ｆ１６及び通信Ｉ／Ｆ１７を備えている。サーバＳＶは、上記各部が、バス１８により接続されている。
【００２４】
ＲＯＭ１２は、サーバＳＶとしての基本プログラム、本発明の情報処理方法のうちサーバＳＶで実行すべき部分のプログラム及びシステムデータ等を記憶している。
【００２５】
ＲＡＭ１３は、ＣＰＵ１１のワークメモリとして利用されるとともに、画像データ及びその他のデータ等を記憶する。
【００２６】
ＣＰＵ１１は、ＲＯＭ１２内のプログラムに基づいて、ＲＡＭ１３をワークメモリとして利用して、サーバＳＶの各部を制御して、サーバＳＶとしての基本処理を実行する。また、ＣＰＵ１１は、ＲＯＭ１２に格納されている本発明の情報処理方法のプログラムに基づいて、本発明の情報処理方法を実行する。
【００２７】
不揮発性メモリ１４は、ＮＶＲＡＭ、ＳＳＤ、ハードディスク等が用いられ、サーバＳＶの電源がオフのときにも記憶内容を保持するメモリである。不揮発性メモリ１４は、サーバＳＶの電源がオフのときにも記憶内容を保持する必要のあるデータとして、例えば、システム設定値や本発明の情報処理方法で使用する各種データがＣＰＵ１１の制御下で格納される。特に、不揮発性メモリ１４は、この情報処理方法で使用するデータとして、印刷データ、各ユーザの活動情報、各印刷装置Ｐｒ１〜Ｐｒｎの装置情報及び印刷可否情報等をＣＰＵ１１の制御下で記憶する。ここで、装置情報とは、各印刷装置Ｐｒ１〜Ｐｒｎの設置場所、装置状態、装置性能を含む印刷装置Ｐｒ１〜Ｐｒｎに関する情報である。また、印刷可否情報とは、印刷データの機密度、印刷装置Ｐｒ１〜Ｐｒｎに対するユーザの利用権限等を含む各印刷装置Ｐｒ１〜Ｐｒｎにおける印刷データの各ユーザによる印刷の可否を示す情報である。
【００２８】
入力Ｉ／Ｆ１５には、キーボード、マウス、スタイラスペン、タッチパネル等の入力デバイス２１が接続され、入力Ｉ／Ｆ１５は、入力デバイス２１から入力される各種命令等をＣＰＵ１１へ出力する。
【００２９】
出力Ｉ／Ｆ１６には、ディスプレイ、ランプ、スピーカ等の出力デバイス２２が接続され、出力Ｉ／Ｆ１６は、ＣＰＵ１１の制御下で、出力デバイス２２に表示データ、点滅データ、音声データ等の出力データを出力する。このディスプレイは、タッチパネル付きディスプレイが用いられていてもよい。
【００３０】
通信Ｉ／Ｆ１７は、ネットワークＮＷが接続され、ネットワークＮＷ及びアクセスポイント装置ＡＰを通してネットワークＮＷ上の印刷装置Ｐｒ１〜ＰｒｎやコンピュータＰＣ及び携帯端末ＫＴと通信する。
【００３１】
そして、情報処理システム１は、そのサーバＳＶが、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＵＳＢ（Universal Serial Bus）メモリ、ＳＤ（Secure Digital）カード、ＭＯ（Magneto-Optical Disc）等のコンピュータが読み取り可能な記録媒体に記録されている本発明の情報処理方法を実行するプログラムを読み込んでサーバＳＶのＲＯＭ１２や不揮発性メモリ１４に導入することで、後述するユーザの活動状況に応じた効率的な印刷先を提示する情報処理方法を実行する情報処理装置として構築されている。この情報処理方法を実行するプログラムは、アセンブラ、Ｃ、Ｃ＋＋、Ｃ＃、Ｊａｖａ（登録商標）等のレガシープログラミング言語やオブジェクト指向プログラミング言語等で記述されたコンピュータ実行可能なプログラムであり、上記記録媒体に格納して頒布することができる。
【００３２】
サーバＳＶは、上記情報処理方法を実行するプログラムが導入されることで、図３に示すような情報処理装置としての機能ブロックが構築される。
【００３３】
すなわち、サーバＳＶは、上記プログラムが導入されることで、図３に示すように、活動情報記憶部３１、装置情報記憶部３２、印刷要求受付部３３、印刷候補選択部３４、提示部３５、データ保管部３６及び一覧提供部３７が構築される。
【００３４】
活動情報記憶部３１は、不揮発性メモリ１４により構築されており、ユーザの活動予定を含む活動情報を記憶する。この活動情報は、各ユーザ毎に、そのスケジュール等の活動予定を含む情報である。したがって、活動情報記憶部３１は、活動情報記憶手段として機能している。
【００３５】
装置情報記憶部３２は、不揮発性メモリ１４により構築されており、複数の印刷装置Ｐｒ１〜Ｐｒｎの設置場所、装置状態（待機中、印刷中、電源オフ中等）、装置性能（印刷方式、解像度、最大印刷可能サイズ等）を含む装置情報を記憶する。したがって、装置情報記憶部３２は、装置情報記憶手段として機能している。なお、サーバＳＶは、装置情報を、定期的に印刷装置Ｐｒ１〜Ｐｒｎから取得し、装置情報記憶部３２に記憶しておく。なお、サーバＳＶは、印刷装置Ｐｒ１〜Ｐｒｎの修理中等により機器情報が取得できず、日時がかなり経過している場合は、修理終了等の連絡後即時に取得してもよい。
【００３６】
印刷要求受付部３３は、通信Ｉ／Ｆ１７により構築されており、外部装置であるコンピュータＰＣ、携帯端末ＫＴを含むクライアント端末ＣＬからの印刷設定を伴う印刷要求を受け付ける。したがって、印刷要求受付部３３は、印刷要求受付手段として機能している。
【００３７】
印刷候補選択部３４は、ＣＰＵ１１により構築されている。印刷候補選択部３４は、印刷要求を受け付けると、印刷設定、活動情報及び装置情報を参照して、複数の印刷装置Ｐｒ１〜Ｐｒｎから、該印刷要求に係る印刷データの印刷を実行させる印刷装置Ｐｒ１〜Ｐｒｎを印刷候補印刷装置として、１台以上選択する。したがって、印刷候補選択部３４は、印刷候補選択手段として機能している。
【００３８】
提示部３５は、ＣＰＵ１１及び通信Ｉ／Ｆ１７により構築されており、印刷候補選択部３４が選択した印刷候補印刷装置をクライアント端末ＣＬを介してユーザに提示する。したがって、提示部３５は、提示手段として機能している。
【００３９】
データ保管部３６は、不揮発性メモリ１４により構築されており、印刷対象の印刷データ（文書データ）を保管する。したがって、データ保管部３６は、データ保管手段として機能している。
【００４０】
一覧提供部３７は、ＣＰＵ１１及び通信Ｉ／Ｆ１７により構築されており、外部装置であるクライアント端末ＣＬからの印刷データ一覧要求を受け付けて、データ保管部３６に保管されている印刷データの一覧を、該クライアント端末ＣＬへ提供する。したがって、一覧提供部３７は、一覧提供手段として機能している。
【００４１】
次に、本実施例の作用を説明する。本実施例の情報処理システム１は、そのサーバＳＶが、ユーザの活動状況に応じた効率的な印刷先を提示する。
【００４２】
すなわち、情報処理システム１は、ネットワークＮＷに固定的に接続されているコンピュータＰＣや移動可能な携帯端末ＫＴ等のクライアント端末ＣＬからサーバＳＶに対して、印刷装置Ｐｒ１〜Ｐｒｎでの印刷データの印刷要求を印刷設定情報を設定して行われる。
【００４３】
サーバＳＶは、クライアント端末ＣＬからの印刷要求を受け取ると、印刷設定、印刷要求したユーザの活動情報及び印刷装置Ｐｒ１〜Ｐｒｎの装置情報を参照して、印刷要求に係る印刷データの印刷を実行させる１台以上の印刷装置Ｐｒ１〜Ｐｒｎを選択する。サーバＳＶは、選択した印刷装置Ｐｒ１〜Ｐｒｎを印刷候補印刷装置として、クライアント端末ＣＬへ送ってユーザに提示する。ユーザは、提示された印刷候補印刷装置から印刷先の印刷装置Ｐｒ１〜Ｐｒｎを指定する。サーバＳＶは、印刷先の印刷装置Ｐｒ１〜Ｐｒｎが指定されると、指定の印刷装置Ｐｒ１〜Ｐｒｎに印刷データと印刷設定を含む印刷要求を送信して、該印刷装置Ｐｒ１〜Ｐｒｎに該印刷データを印刷させる。
【００４４】
すなわち、サーバＳＶは、例えば、図４に示すように、ユーザの操作によってクライアント端末ＣＬで文書一覧要求があると（Ｓ１）、クライアント端末ＣＬからの文書一覧要求を一覧提供部３７が受け取る（Ｓ２）。
【００４５】
一覧提供部３７は、データ保管部３６に保管されている印刷データの一覧を取得して、クライアント端末ＣＬへ送信する。
【００４６】
クライアント端末ＣＬは、送信されてきた印刷データ一覧をディスプレイ等に表示してユーザに提示し、ユーザは、提示されている印刷データ一覧を見て、印刷対象の印刷データを選択して、印刷要求を行う印刷データを把握する（Ｓ３）。
【００４７】
ユーザは、クライアント端末ＣＬに対して、印刷データの選択、印刷設定の操作を行うと、印刷可能装置要求操作を行う（Ｓ４）。すなわち、ユーザは、この印刷要求操作では、通常の印刷設定（用紙サイズ、画素密度等）の操作も可能であり、また、印刷実行時間の設定も可能となっていてもよい。クライアント端末ＣＬは、印刷可能装置要求操作が行われると、印刷データの指定と印刷設定の情報を含む印刷可能装置一覧取得要求をサーバＳＶへ送信する（Ｓ５）。
【００４８】
サーバＳＶは、クライアント端末ＣＬからの印刷可能装置一覧要求を印刷要求受付部３３が受信すると、印刷要求受付部３３は、印刷候補装置取得要求として印刷候補選択部３４に渡す（Ｓ６）。
【００４９】
印刷候補選択部３４は、刷候補装置取得処理の実行を開始して、まず、活動情報記憶部３１からユーザの活動予定を含む活動情報を取得する（Ｓ７）。この活動情報は、印刷要求してきたユーザのスケジュール等の活動予定を含む情報である。
【００５０】
印刷候補選択部３４は、さらに、装置情報記憶部３２からサーバＳＶに接続されていて印刷先として利用可能な印刷装置Ｐｒ１〜Ｐｒｎの設置場所、装置状態、装置性能を含む装置情報を取得する（Ｓ８）。
【００５１】
印刷候補選択部３４は、データ保管部３６から印刷可能装置一覧要求にかかる印刷データを取得し（Ｓ９）、取得した活動情報と装置情報及び印刷設定と印刷データから印刷要求に対応可能な印刷装置Ｐｒ１〜Ｐｒｎを選択する（Ｓ１０）。
【００５２】
印刷候補選択部３４は、選択した印刷候補印刷装置を提示部３５に渡して提示要求を行い（Ｓ１１）、提示部３５は、印刷候補印刷装置を所定の順序で並べた印刷候補印刷装置一覧をクライアント端末ＣＬへ送信する。
【００５３】
クライアント端末ＣＬは、送信されてきた印刷候補印刷装置一覧をディスプレイ等に表示してユーザに提示する。
【００５４】
ユーザは、クライアント端末ＣＬにおいて、印刷候補印刷装置一覧を見て、印刷先の印刷装置Ｐｒ１〜Ｐｒｎを指定する印刷装置指定操作を行う（Ｓ１２）。
【００５５】
クライアント端末ＣＬは、印刷装置指定操作が行われると、先の印刷可能装置一覧取得要求で指定した印刷データと印刷設定の印刷要求を伴う印刷装置指定をサーバＳＶへ送信する（Ｓ１３）。
【００５６】
サーバＳＶは、印刷装置指定を印刷要求受付部３３が受信すると、指定の印刷装置Ｐｒ１〜Ｐｒｎに対して、印刷データと印刷設定情報を含む印刷要求を送信する（Ｓ１４）。
【００５７】
印刷装置Ｐｒ１〜Ｐｒｎは、印刷要求を受信すると、印刷データと印刷設定情報に基づいて、印刷要求を実行し、印刷物を排出する（Ｓ１５）。
【００５８】
このように、本実施例のサーバＳＶは、ユーザの活動予定を含む活動情報を記憶する活動情報記憶部（活動情報記憶手段）３１と、複数の印刷装置Ｐｒ１〜Ｐｒｎの設置場所、装置状態、装置性能を含む装置情報を記憶する装置情報記憶部（装置情報記憶手段）３２と、クライアント端末（外部装置）ＣＬからの印刷設定を伴う印刷要求を受け付ける印刷要求受付部（印刷要求受付手段）３３と、前記印刷要求を受け付けると、前記印刷設定、前記活動情報及び前記装置情報を参照して、複数の印刷装置Ｐｒ１〜Ｐｒｎから、該印刷要求に係る印刷データの印刷を実行させる印刷装置Ｐｒ１〜Ｐｒｎを印刷候補印刷装置として、１台以上選択する印刷候補選択部（印刷候補選択手段）３４と、前記印刷候補印刷装置を提示する提示部（提示手段）３５と、を備えている。
【００５９】
したがって、ユーザの印刷要求内容を満たす印刷装置Ｐｒ１〜Ｐｒｎを、ユーザの活動情報及び印刷装置Ｐｒ１〜Ｐｒｎの装置情報に基づいて選択して提示することができ、ユーザの活動状況に応じた効率的な印刷先を提示することができる。その結果、印刷物をユーザの利用先の近くの印刷装置Ｐｒ１〜Ｐｒｎ等で印刷出力させることができ、利用性を向上させることができる。
【００６０】
また、本実施例のサーバＳＶは、印刷データを保管するデータ保管部（データ保管手段）３６と、前記クライアント端末ＣＬからの印刷データ一覧要求を受け付けて、前記データ保管部３６に保管されている前記印刷データの一覧を提供する一覧提供部（一覧提供手段）３７と、をさらに備え、前記印刷要求受付部３３が、前記印刷データ一覧に基づく印刷要求を受け付けている。
【００６１】
したがって、サーバＳＶの保管している印刷データを指定した印刷要求に対して、該印刷要求内容を満たす印刷装置Ｐｒ１〜Ｐｒｎを、ユーザの活動情報及び印刷装置Ｐｒ１〜Ｐｒｎの装置情報に基づいて選択して提示することができる。その結果、ユーザの活動状況に応じた効率的な印刷先を、より一層簡単に提示することができる。
【実施例２】
【００６２】
図５及び図６は、本発明の情報処理装置、情報処理システム、情報処理方法及びプログラムの第２実施例を示す図であり、図５は、本発明の情報処理装置、情報処理システム、情報処理方法及びプログラムの第２実施例を適用したサーバＳＶの機能ブロック図である。
【００６３】
なお、本実施例は、上記第１実施例の情報処理システム１と同様の情報処理システムに適用したものであり、本実施例の説明においては、上記第１実施例と同様の構成部分には、同一の符号を用いて説明する。
【００６４】
本実施例のサーバＳＶは、印刷要求を発行した位置である印刷要求位置と実際のユーザの位置情報を考慮した活動情報をも考慮して、印刷候補印刷装置を選択する。
【００６５】
そして、本実施例の情報処理システム１は、そのサーバＳＶに、本発明の本実施例の情報処理方法を実行するためのプログラムが導入されることで、図５に示す機能ブロックが構築される。なお、図５において、図３と同様の構成部分には、同一の符号を付与してその説明を省略する。
【００６６】
すなわち、サーバＳＶは、上記プログラムが導入されることで、図５に示すように、第１実施例と同様の活動情報記憶部３１、装置情報記憶部３２、印刷要求受付部３３、印刷候補選択部３４、提示部３５、データ保管部３６、一覧提供部３７が構築されるとともに、印刷要求位置検出部３８、ユーザ位置取得部３９及び活動情報登録部４０が構築される。
【００６７】
活動情報記憶部３１、装置情報記憶部３２、印刷要求受付部３３、印刷候補選択部３４、提示部３５、データ保管部３６、一覧提供部３７は、第１実施例と同様であるため、その説明を省略する。
【００６８】
印刷要求位置検出部３８は、通信Ｉ／Ｆ１７及びＣＰＵ１１により構築されており、印刷要求を発行した外部装置であるクライアント端末ＣＬの位置を印刷要求発行位置として検出して、取得した印刷要求発行位置を印刷候補選択部３４へ出力する。したがって、印刷要求位置検出部３８は、印刷要求位置検出手段として機能している。なお、印刷要求位置検出部３８は、印刷要求発行元のクライアント端末ＣＬがコンピュータＰＣの場合には、そのコンピュータのＩＰ（Internet Protocol）アドレスに基づいて、印刷要求発行位置を取得する。また、印刷要求位置検出部３８は、印刷要求発行元のクライアント端末ＣＬが携帯端末ＫＴの場合には、該携帯端末ＫＴから送信されてくる現在位置情報に基づいて、印刷要求発行位置を取得する。
【００６９】
ユーザ位置取得部３９は、通信Ｉ／Ｆ１７及びＣＰＵ１１により構築されている。ユーザ位置取得部３９は、ユーザの位置情報を所定間隔毎に取得して活動情報登録部４０へ渡す。したがって、ユーザ位置取得部３９は、ユーザ位置取得手段として機能している。ユーザ位置取得部３９は、例えば、社員カードでのオフィスへの入退室の記録、携帯端末ＫＴのＧＰＳ機能による位置検出等の情報を通信Ｉ／Ｆ１７を介して取得する。
【００７０】
活動情報登録部４０は、ＣＰＵ１１により構築されており、ユーザ位置取得部３９が出得したユーザの位置情報を、不揮発性メモリ１４で構築されている活動情報記憶部３１に、活動情報の一部として記憶させる。したがって、活動情報登録部４０は、活動情報登録手段として機能している。その結果、活動情報記憶部３１は、活動情報として、ユーザの活動予定等の予め決定されている活動情報だけでなく、現実としてユーザが活動している情報を含んだ情報となっている。
【００７１】
そして、本実施例の情報処理システム１は、図６に示すように、情報処理を実行する。なお、図６において、図４と同様の処理については、同一の処理ナンバを付与して、その説明を省略または簡略化する。
【００７２】
図６において、サーバＳＶは、例えば、ユーザの操作によってクライアント端末ＣＬで文書一覧要求があると（Ｓ１）、クライアント端末ＣＬからの文書一覧要求を一覧提供部３７が受け取る（Ｓ２）。一覧提供部３７は、データ保管部３６に保管されている印刷データの一覧を取得して、クライアント端末ＣＬへ送信する。
【００７３】
クライアント端末ＣＬは、送信されてきた印刷データ一覧をディスプレイ等に表示してユーザに提示し、ユーザは、提示されている印刷データ一覧を見て、印刷対象の印刷データを選択して、印刷要求を行う印刷データを把握する（Ｓ３）。
【００７４】
ユーザは、クライアント端末ＣＬに対して、印刷データの選択、印刷設定の操作を行うと、印刷可能装置要求操作を行う（Ｓ４）。クライアント端末ＣＬは、印刷可能装置要求操作が行われると、印刷データの指定と印刷設定の情報を含む印刷可能装置一覧取得要求をサーバＳＶへ送信する（Ｓ５）。
【００７５】
サーバＳＶは、クライアント端末ＣＬからの印刷可能装置一覧要求を印刷要求受付部３３が受信すると、印刷要求受付部３３は、印刷候補装置取得要求として印刷候補選択部３４に渡す（Ｓ６）。
【００７６】
印刷候補選択部３４は、印刷候補装置取得処理の実行を開始して、ユーザが印刷要求を行った位置である印刷要求位置の取得要求を印刷要求位置検出部３８に行って、印刷要求位置を取得する（Ｓ２１）。
【００７７】
次に、印刷候補選択部３４は、活動情報記憶部３１からユーザの活動予定を含む活動情報を取得する（Ｓ７）。さらに、印刷候補選択部３４は、装置情報記憶部３２からサーバＳＶに接続されていて印刷先として利用可能な印刷装置Ｐｒ１〜Ｐｒｎの設置場所、装置状態、装置性能を含む装置情報を取得する（Ｓ８）。
【００７８】
印刷候補選択部３４は、データ保管部３６から印刷可能装置一覧要求にかかる印刷データを取得する（Ｓ９）。印刷候補選択部３４は、取得したユーザの実際の位置情報を含む活動情報と装置情報及び印刷設定と印刷データから印刷要求に対応可能な印刷装置Ｐｒ１〜Ｐｒｎを選択する（Ｓ２２）。
【００７９】
印刷候補選択部３４は、選択した印刷候補印刷装置を提示部３５に渡して提示要求を行い（Ｓ１１）、提示部３５は、印刷候補印刷装置を所定の順序で並べた印刷候補印刷装置一覧をクライアント端末ＣＬへ送信する。
【００８０】
クライアント端末ＣＬは、送信されてきた印刷候補印刷装置一覧をディスプレイ等に表示してユーザに提示する。
【００８１】
ユーザは、クライアント端末ＣＬにおいて、印刷候補印刷装置一覧を見て、印刷先の印刷装置Ｐｒ１〜Ｐｒｎを指定する印刷装置指定操作を行う（Ｓ１２）。
【００８２】
クライアント端末ＣＬは、印刷装置指定操作が行われると、先の印刷可能装置一覧取得要求で指定した印刷データと印刷設定の印刷要求を伴う印刷装置指定をサーバＳＶへ送信する（Ｓ１３）。
【００８３】
サーバＳＶは、印刷装置指定を印刷要求受付部３３が受信すると、指定の印刷装置Ｐｒ１〜Ｐｒｎに対して、印刷データと印刷設定情報を含む印刷要求を送信する（Ｓ１４）。
【００８４】
印刷装置Ｐｒ１〜Ｐｒｎは、印刷要求を受信すると、印刷データと印刷設定情報に基づいて、印刷要求を実行し、印刷物を排出する（Ｓ１５）。
【００８５】
このように、本実施例のサーバＳＶは、前記印刷要求を発行した外部装置であるクライアント端末ＣＬの位置を印刷要求発行位置として検出する印刷要求位置検出部（印刷要求位置検出手段）３８と、前記ユーザの位置情報を所定間隔毎に取得するユーザ位置取得部（ユーザ位置取得手段）３９と、前記ユーザの位置情報を前記活動情報記憶部３１に前記活動情報の一部として記憶させる活動情報登録部（活動情報登録手段）４０と、をさらに備え、前記印刷候補選択部３４は、前記印刷要求発行位置、前記ユーザの位置情報を含む前記活動情報及び前記印刷設定、前記装置情報を参照して、前記印刷候補印刷装置を選択する。
【００８６】
したがって、印刷要求位置を含めてユーザの実際の位置情報を考慮して印刷候補印刷装置を選択することができ、ユーザの活動状況により一層適合した効率的な印刷先を提示することができる。その結果、印刷物をユーザの実際の利用先の近くの印刷装置Ｐｒ１〜Ｐｒｎ等で印刷出力させることができ、利用性をより一層向上させることができる。
【００８７】
すなわち、近年は、フリーアドレスのスタイルをとるオフィスやレンタルオフィスで働くことが増えてきている。本実施例のサーバＳＶは、このような固定席を持たないユーザについても、印刷要求位置やユーザの実際の位置情報を含む活動情報から印刷候補印刷装置勤を選択することができ、利用性をより一層向上させることができる。
【実施例３】
【００８８】
図７及び図８は、本発明の情報処理装置、情報処理システム、情報処理方法及びプログラムの第３実施例を示す図であり、図７は、本発明の情報処理装置、情報処理システム、情報処理方法及びプログラムの第３実施例を適用したサーバＳＶの機能ブロック図である。
【００８９】
なお、本実施例は、上記第１実施例の情報処理システム１と同様の情報処理システムに適用したものであり、本実施例の説明においては、上記第１実施例及び第２実施例と同様の構成部分には、同一の符号を用いて説明する。
【００９０】
本実施例のサーバＳＶは、印刷候補印刷装置を、指定される提示優先順位に従った提示順序で提示する。
【００９１】
本実施例の情報処理システム１は、そのサーバＳＶに、本発明の本実施例の情報処理方法を実行するためのプログラムが導入されることで、図７に示す機能ブロックが構築される。なお、図７において、図３及び図５と同様の構成部分には、同一の符号を付与してその説明を省略する。
【００９２】
すなわち、サーバＳＶは、上記プログラムが導入されることで、図７に示すように、第１実施例と同様の活動情報記憶部３１、装置情報記憶部３２、印刷要求受付部３３、印刷候補選択部３４、提示部３５、データ保管部３６、一覧提供部３７が、また、第２実施例と同様の印刷要求位置検出部３８、ユーザ位置取得部３９、活動情報登録部４０が構築されるとともに、指定部４１が構築される。
【００９３】
活動情報記憶部３１、装置情報記憶部３２、印刷要求受付部３３、印刷候補選択部３４、提示部３５、データ保管部３６、一覧提供部３７が、印刷要求位置検出部３８、ユーザ位置取得部３９、活動情報登録部４０は、第１実施例及び第２実施例と同様であるため、その説明を省略する。
【００９４】
指定部４１は、入力デバイス２１及び入力Ｉ／Ｆ１５により構築されており、印刷候補印刷装置の提示優先順位を指定するのに使用される。したがって、指定部４１は、指定手段として機能している。
【００９５】
指定部４１で指定される印刷候補印刷装置の提示優先順位は、例えば、印刷性能優先、カラー印刷優先、ユーザとの距離の短さ優先、会議先との距離の短さ優先等である。
【００９６】
この場合、提示部３５は、指定部４１で指定された提示優先順位の条件に従った提示順序で印刷候補印刷装置を提示する。
【００９７】
そして、本実施例の情報処理システム１は、図８に示すように、情報処理を実行する。なお、図８において、図４及び図６と同様の処理については、同一の処理ナンバを付与して、その説明を省略または簡略化する。
【００９８】
図８において、サーバＳＶは、例えば、ユーザの操作によってクライアント端末ＣＬで文書一覧要求があると（Ｓ１）、クライアント端末ＣＬからの文書一覧要求を一覧提供部３７が受け取る（Ｓ２）。一覧提供部３７は、データ保管部３６に保管されている印刷データの一覧を取得して、クライアント端末ＣＬへ送信する。
【００９９】
クライアント端末ＣＬは、送信されてきた印刷データ一覧をディスプレイ等に表示してユーザに提示し、ユーザは、提示されている印刷データ一覧を見て、印刷対象の印刷データを選択して、印刷要求を行う印刷データを把握する（Ｓ３）。
【０１００】
ユーザは、クライアント端末ＣＬに対して、印刷データの選択、印刷設定の操作を行うと、印刷可能装置要求操作を行う（Ｓ４）。クライアント端末ＣＬは、印刷可能装置要求操作が行われると、印刷データの指定と印刷設定の情報を含む印刷可能装置一覧取得要求をサーバＳＶへ送信する（Ｓ５）。
【０１０１】
サーバＳＶは、クライアント端末ＣＬからの印刷可能装置一覧要求を印刷要求受付部３３が受信すると、印刷要求受付部３３は、印刷候補装置取得要求として印刷候補選択部３４に渡す（Ｓ６）。
【０１０２】
印刷候補選択部３４は、印刷候補装置取得処理の実行を開始して、ユーザが印刷要求を行った位置である印刷要求位置の取得要求を印刷要求位置検出部３８に行って、印刷要求位置を取得する（Ｓ２１）。
【０１０３】
次に、印刷候補選択部３４は、活動情報記憶部３１からユーザの活動予定を含む活動情報を取得する（Ｓ７）。さらに、印刷候補選択部３４は、装置情報記憶部３２からサーバＳＶに接続されていて印刷先として利用可能な印刷装置Ｐｒ１〜Ｐｒｎの設置場所、装置状態、装置性能を含む装置情報を取得する（Ｓ８）。
【０１０４】
印刷候補選択部３４は、データ保管部３６から印刷可能装置一覧要求にかかる印刷データを取得する（Ｓ９）。印刷候補選択部３４は、取得したユーザの実際の位置情報を含む活動情報と装置情報及び印刷設定と印刷データから印刷要求に対応可能な印刷装置Ｐｒ１〜Ｐｒｎを選択する（Ｓ２２）。
【０１０５】
印刷候補選択部３４は、選択した印刷候補印刷装置を提示部３５に渡して提示要求を行い（Ｓ１１）、提示部３５は、指定部４１から提示優先順位条件を取得する（Ｓ３１）。
【０１０６】
提示部３５は、指定部４１から取得した提示優先順位条件に従った提示順序で印刷候補印刷装置を並び替えて、刷候補印刷装置一覧を生成し（Ｓ３２）、クライアント端末ＣＬへ送信する。
【０１０７】
クライアント端末ＣＬは、送信されてきた印刷候補印刷装置一覧をディスプレイ等に表示してユーザに提示する。
【０１０８】
ユーザは、クライアント端末ＣＬにおいて、印刷候補印刷装置一覧を見て、印刷先の印刷装置Ｐｒ１〜Ｐｒｎを指定する印刷装置指定操作を行う（Ｓ１２）。
【０１０９】
クライアント端末ＣＬは、印刷装置指定操作が行われると、先の印刷可能装置一覧取得要求で指定した印刷データと印刷設定の印刷要求を伴う印刷装置指定をサーバＳＶへ送信する（Ｓ１３）。
【０１１０】
サーバＳＶは、印刷装置指定を印刷要求受付部３３が受信すると、指定の印刷装置Ｐｒ１〜Ｐｒｎに対して、印刷データと印刷設定情報を含む印刷要求を送信する（Ｓ１４）。
【０１１１】
印刷装置Ｐｒ１〜Ｐｒｎは、印刷要求を受信すると、印刷データと印刷設定情報に基づいて、印刷要求を実行し、印刷物を排出する（Ｓ１５）。
【０１１２】
このように、本実施例のサーバＳＶは、印刷候補印刷装置を提示優先順位の条件を指定する指定部（指定手段）４１を、をさらに備え、提示部３５は、指定部４１で指定された提示優先順位の条件に従った提示順序で印刷候補印刷装置を提示する。
【０１１３】
したがって、ユーザの活動状況に適合した効率的な印刷先である印刷候補印刷装置をユーザの指定する提示優先順位条件に基づいて並び替えて提示することができ、利用性をより一層向上させることができる。
【実施例４】
【０１１４】
図９及び図１０は、本発明の情報処理装置、情報処理システム、情報処理方法及びプログラムの第４実施例を示す図であり、図９は、本発明の情報処理装置、情報処理システム、情報処理方法及びプログラムの第４実施例を適用したサーバＳＶの機能ブロック図である。
【０１１５】
なお、本実施例は、上記第１実施例の情報処理システム１と同様の情報処理システムに適用したものであり、本実施例の説明においては、上記第１実施例及び第２実施例と同様の構成部分には、同一の符号を用いて説明する。
【０１１６】
本実施例のサーバＳＶは、印刷候補印刷装置を、ユーザ特性情報に従った提示順序で提示する。
【０１１７】
本実施例の情報処理システム１は、そのサーバＳＶに、本発明の本実施例の情報処理方法を実行するためのプログラムが導入されることで、図９に示す機能ブロックが構築される。なお、図９において、図３及び図５と同様の構成部分には、同一の符号を付与してその説明を省略する。
【０１１８】
すなわち、サーバＳＶは、上記プログラムが導入されることで、図９に示すように、第１実施例と同様の活動情報記憶部３１、装置情報記憶部３２、印刷要求受付部３３、印刷候補選択部３４、提示部３５、データ保管部３６、一覧提供部３７が、また、第２実施例と同様の印刷要求位置検出部３８、ユーザ位置取得部３９、活動情報登録部４０が構築されるとともに、特性取得部４２が構築される。
【０１１９】
活動情報記憶部３１、装置情報記憶部３２、印刷要求受付部３３、印刷候補選択部３４、提示部３５、データ保管部３６、一覧提供部３７が、印刷要求位置検出部３８、ユーザ位置取得部３９、活動情報登録部４０は、第１実施例及び第２実施例と同様であるため、その説明を省略する。
【０１２０】
特性取得部４２は、通信Ｉ／Ｆ１７、不揮発性メモリ１４及びＣＰＵ１１により構築されており、ユーザの印刷に関する各種情報をユーザ特性情報として取得して保存する。したがって、特性取得部４２は、特性取得手段として機能している。
【０１２１】
特性取得部４２は、ユーザ特性情報として、例えば、ＣＰＵ１１が取得して不揮発性メモリ１４に格納している該ユーザが印刷した履歴情報（文書データ、印刷設定、印刷装置Ｐｒ１〜Ｐｒｎ、印刷要求場所）、ユーザの移動範囲情報等を取得する。
【０１２２】
この場合、提示部３５は、ユーザ特性情報に基づいた提示順序で印刷候補印刷装置を提示する。
【０１２３】
そして、本実施例の情報処理システム１は、図１０に示すように、情報処理を実行する。なお、図１０において、図４及び図６と同様の処理については、同一の処理ナンバを付与して、その説明を省略または簡略化する。
【０１２４】
図１０において、サーバＳＶは、例えば、ユーザの操作によってクライアント端末ＣＬで文書一覧要求があると（Ｓ１）、クライアント端末ＣＬからの文書一覧要求を一覧提供部３７が受け取る（Ｓ２）。一覧提供部３７は、データ保管部３６に保管されている印刷データの一覧を取得して、クライアント端末ＣＬへ送信する。
【０１２５】
クライアント端末ＣＬは、送信されてきた印刷データ一覧をディスプレイ等に表示してユーザに提示し、ユーザは、提示されている印刷データ一覧を見て、印刷対象の印刷データを選択して、印刷要求を行う印刷データを把握する（Ｓ３）。
【０１２６】
ユーザは、クライアント端末ＣＬに対して、印刷データの選択、印刷設定の操作を行うと、印刷可能装置要求操作を行う（Ｓ４）。クライアント端末ＣＬは、印刷可能装置要求操作が行われると、印刷データの指定と印刷設定の情報を含む印刷可能装置一覧取得要求をサーバＳＶへ送信する（Ｓ５）。
【０１２７】
サーバＳＶは、クライアント端末ＣＬからの印刷可能装置一覧要求を印刷要求受付部３３が受信すると、印刷要求受付部３３は、印刷候補装置取得要求として印刷候補選択部３４に渡す（Ｓ６）。
【０１２８】
印刷候補選択部３４は、印刷候補装置取得処理の実行を開始して、ユーザが印刷要求を行った位置である印刷要求位置の取得要求を印刷要求位置検出部３８に行って、印刷要求位置を取得する（Ｓ２１）。
【０１２９】
次に、印刷候補選択部３４は、活動情報記憶部３１からユーザの活動予定を含む活動情報を取得する（Ｓ７）。さらに、印刷候補選択部３４は、装置情報記憶部３２からサーバＳＶに接続されていて印刷先として利用可能な印刷装置Ｐｒ１〜Ｐｒｎの設置場所、装置状態、装置性能を含む装置情報を取得する（Ｓ８）。
【０１３０】
印刷候補選択部３４は、データ保管部３６から印刷可能装置一覧要求にかかる印刷データを取得する（Ｓ９）。印刷候補選択部３４は、取得したユーザの実際の位置情報を含む活動情報と装置情報及び印刷設定と印刷データから印刷要求に対応可能な印刷装置Ｐｒ１〜Ｐｒｎを選択する（Ｓ２２）。
【０１３１】
印刷候補選択部３４は、選択した印刷候補印刷装置を提示部３５に渡して提示要求を行い（Ｓ１１）、提示部３５は、特性取得部４２からユーザ特性情報を取得する（Ｓ４１）。
【０１３２】
提示部３５は、特性取得部４２から取得したユーザ特性情報に従った提示順序で印刷候補印刷装置を並び替えて、刷候補印刷装置一覧を生成し（Ｓ４２）、クライアント端末ＣＬへ送信する。
【０１３３】
クライアント端末ＣＬは、送信されてきた印刷候補印刷装置一覧をディスプレイ等に表示してユーザに提示する。
【０１３４】
ユーザは、クライアント端末ＣＬにおいて、印刷候補印刷装置一覧を見て、印刷先の印刷装置Ｐｒ１〜Ｐｒｎを指定する印刷装置指定操作を行う（Ｓ１２）。
【０１３５】
クライアント端末ＣＬは、印刷装置指定操作が行われると、先の印刷可能装置一覧取得要求で指定した印刷データと印刷設定の印刷要求を伴う印刷装置指定をサーバＳＶへ送信する（Ｓ１３）。
【０１３６】
サーバＳＶは、印刷装置指定を印刷要求受付部３３が受信すると、指定の印刷装置Ｐｒ１〜Ｐｒｎに対して、印刷データと印刷設定情報を含む印刷要求を送信する（Ｓ１４）。
【０１３７】
印刷装置Ｐｒ１〜Ｐｒｎは、印刷要求を受信すると、印刷データと印刷設定情報に基づいて、印刷要求を実行し、印刷物を排出する（Ｓ１５）。
【０１３８】
このように、本実施例のサーバＳＶは、ユーザの印刷に関する各種情報をユーザ特性情報として取得して保存する特性取得部（特性取得手段）４２を、さらに備え、提示部３５は、ユーザ特性情報に基づいた提示順序で印刷候補印刷装置を提示する。
【０１３９】
したがって、ユーザの活動情報に適合した効率的な印刷先である印刷候補印刷装置をユーザ特性情報に基づいて並び替えて提示することができ、利用性をより一層向上させることができる。
【実施例５】
【０１４０】
図１１及び図１２は、本発明の情報処理装置、情報処理システム、情報処理方法及びプログラムの第５実施例を示す図であり、図１１は、本発明の情報処理装置、情報処理システム、情報処理方法及びプログラムの第５実施例を適用したサーバＳＶの機能ブロック図である。
【０１４１】
なお、本実施例は、上記第１実施例の情報処理システム１と同様の情報処理システムに適用したものであり、本実施例の説明においては、上記第１実施例及び第２実施例と同様の構成部分には、同一の符号を用いて説明する。
【０１４２】
本実施例のサーバＳＶは、印刷候補印刷装置を、印刷要求にとって印刷不可と判断した印刷装置Ｐｒ１〜Ｐｒｎを省いた印刷装置Ｐｒ１〜Ｐｒｎから選択して提示する。
【０１４３】
本実施例の情報処理システム１は、そのサーバＳＶに、本発明の本実施例の情報処理方法を実行するためのプログラムが導入されることで、図１１に示す機能ブロックが構築される。なお、図１１において、図３及び図５と同様の構成部分には、同一の符号を付与してその説明を省略する。
【０１４４】
すなわち、サーバＳＶは、上記プログラムが導入されることで、図１１に示すように、第１実施例と同様の活動情報記憶部３１、装置情報記憶部３２、印刷要求受付部３３、印刷候補選択部３４、提示部３５、データ保管部３６、一覧提供部３７が、また、第２実施例と同様の印刷要求位置検出部３８、ユーザ位置取得部３９、活動情報登録部４０が構築されるとともに、印刷可否情報記憶部４３及び印刷不可判断部４４が構築される。
【０１４５】
活動情報記憶部３１、装置情報記憶部３２、印刷要求受付部３３、印刷候補選択部３４、提示部３５、データ保管部３６、一覧提供部３７が、印刷要求位置検出部３８、ユーザ位置取得部３９、活動情報登録部４０は、第１実施例及び第２実施例と同様であるため、その説明を省略する。
【０１４６】
印刷可否情報記憶部４３は、不揮発性メモリ１４により構築されており、印刷データの機密度、印刷装置Ｐｒ１〜Ｐｒｎに対するユーザの利用権限を含む該印刷装置Ｐｒ１〜Ｐｒｎに対する印刷可否情報を記憶する。したがって、印刷可否情報記憶部４３は、印刷可否情報記憶手段として機能している。ここで、印刷可否情報は、上記印刷データの機密度、印刷装置Ｐｒ１〜Ｐｒｎに対するユーザの利用権限だけでなく、印刷データに紐付けられた印刷許可場所等のセキュリティ、印刷品質等を適切に保持するのに必要な情報を含んでいてもよい。
【０１４７】
印刷不可判断部４４は、ＣＰＵ１１により構築されており、印刷要求に基づいて印刷可否情報記憶部４３の印刷可否情報を参照して、該印刷要求に対する印刷不可の印刷装置Ｐｒ１〜Ｐｒｎを判断する。したがって、印刷不可判断部４４は、印刷不可判断手段として機能している。
【０１４８】
この場合、印刷候補選択部３４は、印刷要求受付部３３の受け付けた印刷要求の内容を印刷不可判断部４４に通知し、印刷不可判断部４４は、該印刷要求に基づいて印刷可否情報を参照して、該印刷要求に対する印刷不可の印刷装置Ｐｒ１〜Ｐｒｎを判断する。印刷不可判断部４４は、印刷不可と判断した印刷装置Ｐｒ１〜Ｐｒｎを印刷候補選択部３４に通知する。印刷候補選択部３４は、複数の印刷装置Ｐｒ１〜Ｐｒｎのうち、印刷不可判断部４４が印刷不可と判断した印刷装置Ｐｒ１〜Ｐｒｎを省いた印刷装置Ｐｒ１〜Ｐｒｎから印刷候補印刷装置を選択する。
【０１４９】
そして、本実施例の情報処理システム１は、図１２に示すように、情報処理を実行する。なお、図１２において、図４及び図６と同様の処理については、同一の処理ナンバを付与して、その説明を省略または簡略化する。
【０１５０】
図１２において、サーバＳＶは、例えば、ユーザの操作によってクライアント端末ＣＬで文書一覧要求があると（Ｓ１）、クライアント端末ＣＬからの文書一覧要求を一覧提供部３７が受け取る（Ｓ２）。一覧提供部３７は、データ保管部３６に保管されている印刷データの一覧を取得して、クライアント端末ＣＬへ送信する。
【０１５１】
クライアント端末ＣＬは、送信されてきた印刷データ一覧をディスプレイ等に表示してユーザに提示し、ユーザは、提示されている印刷データ一覧を見て、印刷対象の印刷データを選択して、印刷要求を行う印刷データを把握する（Ｓ３）。
【０１５２】
ユーザは、クライアント端末ＣＬに対して、印刷データの選択、印刷設定の操作を行うと、印刷可能装置要求操作を行う（Ｓ４）。クライアント端末ＣＬは、印刷可能装置要求操作が行われると、印刷データの指定と印刷設定の情報を含む印刷可能装置一覧取得要求をサーバＳＶへ送信する（Ｓ５）。
【０１５３】
サーバＳＶは、クライアント端末ＣＬからの印刷可能装置一覧要求を印刷要求受付部３３が受信すると、印刷要求受付部３３は、印刷候補装置取得要求として印刷候補選択部３４に渡す（Ｓ６）。
【０１５４】
印刷候補選択部３４は、印刷候補装置取得処理の実行を開始して、ユーザが印刷要求を行った位置である印刷要求位置の取得要求を印刷要求位置検出部３８に行って、印刷要求位置を取得する（Ｓ２１）。
【０１５５】
次に、印刷候補選択部３４は、活動情報記憶部３１からユーザの活動予定を含む活動情報を取得する（Ｓ７）。さらに、印刷候補選択部３４は、装置情報記憶部３２からサーバＳＶに接続されていて印刷先として利用可能な印刷装置Ｐｒ１〜Ｐｒｎの設置場所、装置状態、装置性能を含む装置情報を取得する（Ｓ８）。
【０１５６】
印刷候補選択部３４は、データ保管部３６から印刷可能装置一覧要求にかかる印刷データを取得する（Ｓ９）。
【０１５７】
印刷候補選択部３４は、印刷不可判断部４４から印刷不可印刷装置Ｐｒ１〜Ｐｒｎの情報を取得する（Ｓ５１）。
【０１５８】
印刷候補選択部３４は、複数の印刷装置Ｐｒ１〜Ｐｒｎのうち、印刷不可印刷装置Ｐｒ１〜Ｐｒｎを省いた印刷装置Ｐｒ１〜Ｐｒｎを印刷候補印刷装置の対象とする。印刷候補選択部３４は、取得したユーザの実際の位置情報を含む活動情報と装置情報及び印刷設定と印刷データに基づいて、上記印刷候補印刷装置の対象とした印刷装置Ｐｒ１〜Ｐｒｎから印刷要求に対応可能な印刷装置Ｐｒ１〜Ｐｒｎを選択する（Ｓ５２）。
【０１５９】
印刷候補選択部３４は、選択した印刷候補印刷装置を提示部３５に渡して提示要求を行い（Ｓ１１）、提示部３５は、印刷候補印刷装置を所定の順序で並べた印刷候補印刷装置一覧をクライアント端末ＣＬへ送信する。
【０１６０】
クライアント端末ＣＬは、送信されてきた印刷候補印刷装置一覧をディスプレイ等に表示してユーザに提示する。
【０１６１】
ユーザは、クライアント端末ＣＬにおいて、印刷候補印刷装置一覧を見て、印刷先の印刷装置Ｐｒ１〜Ｐｒｎを指定する印刷装置指定操作を行う（Ｓ１２）。
【０１６２】
クライアント端末ＣＬは、印刷装置指定操作が行われると、先の印刷可能装置一覧取得要求で指定した印刷データと印刷設定の印刷要求を伴う印刷装置指定をサーバＳＶへ送信する（Ｓ１３）。
【０１６３】
サーバＳＶは、印刷装置指定を印刷要求受付部３３が受信すると、指定の印刷装置Ｐｒ１〜Ｐｒｎに対して、印刷データと印刷設定情報を含む印刷要求を送信する（Ｓ１４）。
【０１６４】
印刷装置Ｐｒ１〜Ｐｒｎは、印刷要求を受信すると、印刷データと印刷設定情報に基づいて、印刷要求を実行し、印刷物を排出する（Ｓ１５）。
【０１６５】
このように、本実施例のサーバＳＶは、印刷データの機密度、印刷装置Ｐｒ１〜Ｐｒｎに対するユーザの利用権限を含む該印刷装置Ｐｒ１〜Ｐｒｎに対する印刷可否情報を記憶する印刷可否情報記憶部（印刷可否情報記憶手段）４３と、前記印刷要求に基づいて前記印刷可否情報を参照して、該印刷要求に対する印刷不可の印刷装置Ｐｒ１〜Ｐｒｎを判断する印刷不可判断部（印刷不可判断手段）４４と、をさらに備え、前記印刷候補選択部３４は、複数の印刷装置Ｐｒ１〜Ｐｒｎのうち、印刷不可判断部４４が印刷不可と判断した印刷装置Ｐｒ１〜Ｐｒｎを省いた印刷装置Ｐｒ１〜Ｐｒｎから印刷候補印刷装置を選択する。
【０１６６】
したがって、印刷データのセキュリティや印刷制度等により一層適切で効率的な印刷先を提示することができる。その結果、印刷物をユーザの実際の利用先の近くの印刷装置Ｐｒ１〜Ｐｒｎ等であってより一層適切な印刷装置Ｐｒ１〜Ｐｒｎで印刷出力させることができ、利用性、機密性をより一層向上させることができる。
【０１６７】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【０１６８】
１  情報処理システム
ＮＷ  ネットワーク
Ｐｒ１〜Ｐｒｎ  印刷装置
ＰＣ  コンピュータ
ＫＴ  携帯端末
ＣＬ  クライアント端末
ＡＰ  アクセスポイント装置
ＳＶ  サーバ
１１  ＣＰＵ
１２  ＲＯＭ
１３  ＲＡＭ
１４  不揮発性メモリ
１５  入力Ｉ／Ｆ
１６  出力Ｉ／Ｆ
１７  通信Ｉ／Ｆ
１８  バス
３１  活動情報記憶部
３２  装置情報記憶部
３３  印刷要求受付部
３４  印刷候補選択部
３５  提示部
３６  データ保管部
３７  一覧提供部
３８  印刷要求位置検出部
３９  ユーザ位置取得部
４０  活動情報登録部
４１  指定部
４２  特性取得部
４３  印刷可否情報記憶部
４４  印刷不可判断部
【先行技術文献】
【特許文献】
【０１６９】
【特許文献１】特開２０１５‐０７２６７８号公報
【図１】
2017091446.tif 000003
【図２】
2017091446.tif 000004
【図３】
2017091446.tif 000005
【図４】
2017091446.tif 000006
【図５】
2017091446.tif 000007
【図６】
2017091446.tif 000008
【図７】
2017091446.tif 000009
【図８】
2017091446.tif 000010
【図９】
2017091446.tif 000011
【図１０】
2017091446.tif 000012
【図１１】
2017091446.tif 000013
【図１２】
2017091446.tif 000014